(57)【要約】【課題】単純な構造でありながら容易に配管のレベル調整を行うことが可能な配管支持部材を提供すること。【解決手段】表面にねじ山が形成された支柱１５と、支柱１５の一端１５ａが接続されるベースプレート１１と、を有する台座１０と、支柱１５が挿通される第１の挿通孔２２が形成された、配管が載置される支持バンド２０とを備え、第１の挿通孔２２が、ベースプレート１１から離れる方向に支持バンド２０が移動することを許し、ベースプレート１１に近づく方向に支持バンド２０が移動することを禁止するように、菊座状に形成されている配管支持部材１とすると、単純な構造でありながら、支柱軸方向への支持バンドの位置の微調整を容易に行うことが可能となる。【選択図】図１
2007309499.tif 000002
【特許請求の範囲】
【請求項１】
表面にねじ山が形成された支柱と、前記支柱の一端が接続されるベースプレートと、を有する台座と；
前記支柱が挿通される第１の挿通孔が形成された、配管が載置される支持バンドとを備え；
前記第１の挿通孔が、前記ベースプレートから離れる方向に前記支持バンドが移動することを許し、前記ベースプレートに近づく方向に前記支持バンドが移動することを禁止するように、菊座状に形成された；
配管支持部材。
【請求項２】
前記支柱の前記ベースプレートに接続される端部と反対側の端部にねじまわし用の加工が施された；
請求項１に記載の配管支持部材。
【請求項３】
前記ベースプレートが、第１のベースプレートと、前記第１のベースプレートとは異なる第２のベースプレートとから構成され；
前記第１のベースプレート及び前記第２のベースプレートの各々に前記支柱が接続された；
請求項１又は請求項２に記載の配管支持部材。
【請求項４】
前記第１のベースプレート及び前記第２のベースプレートの少なくとも一方にアンカーを挿通するアンカー孔が形成された；
請求項３に記載の配管支持部材。
【請求項５】
前記支持バンドに、載置した配管の動きを抑制する紐状部材を掛ける末端固定部が形成された；
請求項１乃至請求項４のいずれか１項に記載の配管支持部材。
【請求項６】
前記支柱が挿通される第２の挿通孔が形成された押さえバンドを備え；
前記第２の挿通孔が、前記ベースプレートに近づく方向に前記押さえバンドが移動することを許し、前記ベースプレートから離れる方向に前記押さえバンドが移動することを禁止するように、菊座状に形成された；
請求項１乃至請求項４のいずれか１項に記載の配管支持部材。
【請求項７】
支柱と、前記支柱の一端が接続されるベースプレートと、を有する台座と；
前記支柱が挿通される第１の挿通孔が形成された、配管が載置される支持バンドとを備え；
前記ベースプレートが、第１のベースプレートと、前記第１のベースプレートとは異なる第２のベースプレートとを有し、前記第１のベースプレート及び前記第２のベースプレートの各々に前記支柱が接続されて構成された；
配管支持部材。
【請求項８】
支柱と、前記支柱の一端が接続されるベースプレートと、を有する台座と；
前記支柱が挿通される第１の挿通孔が形成された、配管が載置される支持バンドとを備え；
前記支持バンドに、配管の動きを抑制する紐状部材を掛ける末端固定部が形成された；
配管支持部材。
【発明の詳細な説明】
【技術分野】
【０００１】
本発明は配管支持部材に関し、特に容易に配管のレベル調整を行うことが可能な配管支持部材に関するものである。
【背景技術】
【０００２】
集合住宅の各住戸やホテルの各室に設置される衛生器具廻りの配管は、衛生器具の設置場所からパイプシャフトまでを仕上げの床とスラブとの間に横走管として敷設され、パイプシャフトを鉛直方向に通るたて管にこの横走管が接続されるのが一般的である。その中で、排水横走管は、重力によって排水を流下させるために排水管の口径に応じた勾配で設置される。このため、一般に、スラブ上の排水横走管は、一対の固定孔を透設したベースプレートと、該ベースプレートに起立配設した一対のネジ杆と、該一対のネジ杆間にナット締着により高さ調整自在に架設配設した配管バンドとを備えた配管支持金具を用いて設置されている（例えば、特許文献１参照。）。
【０００３】
ところが、上述の配管支持金具ではナット締着により高さ調整をするため高さ調整の作業が面倒で多数の時間を要しており、設置する衛生器具の数が多くなる大規模な集合住宅やホテル等では、排水横走管の数も多くなるため使用される配管支持金具の数も多くなって、作業負担が増大している。このような作業負担を軽減する配管支持具として、支柱に櫛歯を備えるとともに、この櫛歯に嵌合可能な嵌合部を備えたストッパーを嵌合方向への回動自在に支持側バンドに軸支し、これにより、ストッパーを櫛歯に嵌合させることにより、支柱における支持側バンドの位置を固定可能としており、更に、前記ストッパーは、これを回動することによりストッパーと支柱との嵌合及びその解除を可能にしているものが知られている（例えば、特許文献２参照。）。
【０００４】
【特許文献１】特開平８−１４５２４０号公報（図１、図２等）
【特許文献２】特開２００３−１５６１７９号公報（段落００１０、図１等）
【発明の開示】
【発明が解決しようとする課題】
【０００５】
しかしながら、支柱に櫛歯を備えた配管支持具では構造が複雑になると共に櫛歯の間隔をナットのピッチほど狭くすることができないため、横走管のレベルを適切にする微調整を行うことができなかった。
【０００６】
本発明は上述の課題に鑑み、単純な構造でありながらナット締着により高さ調整をする場合に比べて容易に配管のレベル調整を行うことが可能な配管支持部材を提供することを目的とする。
【課題を解決するための手段】
【０００７】
上記目的を達成するために、請求項１に記載の発明に係る配管支持部材は、例えば図１に示すように、表面にねじ山が形成された支柱１５と、支柱１５の一端１５ａが接続されるベースプレート１１と、を有する台座１０と；支柱１５が挿通される第１の挿通孔２２が形成された、配管が載置される支持バンド２０とを備え；第１の挿通孔２２が、ベースプレート１１から離れる方向に支持バンド２０が移動することを許し、ベースプレート１１に近づく方向に支持バンド２０が移動することを禁止するように、菊座状に形成されている。
【０００８】
このように構成すると、単純な構造でありながら、支柱軸方向への支持バンドの位置の微調整を容易に行うことが可能となり、配管のレベル調整を容易に行うことが可能な配管支持部材となる。
【０００９】
また、請求項２に記載の発明に係る配管支持部材は、例えば図１に示すように、請求項１に記載の配管支持部材１０において、支柱１５のベースプレート１１に接続される端部１５ａと反対側の端部１５ｂにねじまわし用の加工が施されている。
【００１０】
このように構成すると、支柱軸方向への支持バンドの位置の、ねじ山のピッチ以下の調整や最終的な微調整を、ねじまわしで支柱を回転することにより容易に行うことが可能となる。また、支柱に対して一方向に相対移動可能な支持バンドを、ねじまわしで支柱を回転することにより容易に該一方向とは逆の方向に相対移動させることが可能となる。
【００１１】
また、請求項３に記載の発明に係る配管支持部材は、例えば図３に示すように、請求項１又は請求項２に記載の配管支持部材において、ベースプレートが、第１のベースプレート１１１と、第１のベースプレート１１１とは異なる第２のベースプレート１１２とから構成され；第１のベースプレート１１１及び第２のベースプレート１１２の各々に支柱１５が接続されている。
【００１２】
このように構成すると、配管支持部材を設置する面に凹凸や段差がある場合であっても、安定的に配管を支持することができる。
【００１３】
また、請求項４に記載の発明に係る配管支持部材は、例えば図３に示すように、請求項３に記載の配管支持部材において、第１のベースプレート１１１及び第２のベースプレート１１２の少なくとも一方にアンカーを挿通するアンカー孔１４が形成されている。
【００１４】
このように構成すると、分割された２つのベースプレートを配管支持部材の設置面にアンカーを用いて設置した際に支柱間の距離が支持バンドに形成された２つの第１の挿通孔間の距離とずれていた場合であっても調整が可能となり、施工時の許容誤差が拡大する。また、配管支持部材を設置面に設置した後に配管支持部材の設置面に対して水平な方向かつ配管の軸方向に対して直角方向に配管を移動することが可能となる。
【００１５】
また、請求項５に記載の発明に係る配管支持部材は、例えば図６に示すように、請求項１乃至請求項４のいずれか１項に記載の配管支持部材において、支持バンド２０Ａに、載置した配管の動きを抑制する紐状部材を掛ける末端固定部２４が形成されている。
【００１６】
このように構成すると、支持バンドに載置された配管を紐状部材を用いて固定することが容易になる。
【００１７】
また、請求項６に記載の発明に係る配管支持部材は、例えば図１に示すように、請求項１乃至請求項４のいずれか１項に記載の配管支持部材１０において、支柱１５が挿通される第２の挿通孔３２が形成された押さえバンド３０を備え；第２の挿通孔３２が、ベースプレート１１に近づく方向に押さえバンド３０が移動することを許し、ベースプレート１１から離れる方向に押さえバンド３０が移動することを禁止するように、菊座状に形成されている。
【００１８】
このように構成すると、押さえバンドに形成された第２の挿通孔が、ベースプレートに近づく方向に押さえバンドが移動することを許し、ベースプレートから離れる方向に押さえバンドが移動することを禁止するように、菊座状に形成されているので、支持バンドに載置された配管を押さえバンドを用いて固定することが容易になる。
【００１９】
上記目的を達成するために、請求項７に記載の発明に係る配管支持部材は、例えば図３に示すように、支柱１５と、支柱１５の一端１５ａが接続されるベースプレート１１１、１１２と、を有する台座１０Ａと；支柱１５が挿通される第１の挿通孔２２が形成された、配管が載置される支持バンド２０とを備え；ベースプレートが、第１のベースプレート１１１と、第１のベースプレート１１１とは異なる第２のベースプレート１１２とを有し、第１のベースプレート１１１及び第２のベースプレート１１２の各々に支柱１５が接続されて構成されている。
【００２０】
このように構成すると、ベースプレートが、第１のベースプレートと、第１のベースプレートとは異なる第２のベースプレートとを有し、第１のベースプレート及び第２のベースプレートの各々に支柱が接続されて構成されているので、配管支持部材を設置する面に凹凸や段差がある場合であっても、安定的に配管を支持することができる。
【００２１】
上記目的を達成するために、請求項８に記載の発明に係る配管支持部材は、例えば図６に示すように、支柱１５と、支柱１５の一端１５ａが接続されるベースプレート１１と、を有する台座１０と；支柱１５が挿通される第１の挿通孔２２が形成された、配管が載置される支持バンド２０Ａとを備え；支持バンド２０Ａに、配管の動きを抑制する紐状部材を掛ける末端固定部２４が形成されている。
【００２２】
このように構成すると、支持バンドに紐状部材を掛ける末端固定部が形成されているので、支持バンドに載置された配管を紐状部材を用いて固定することが容易になる。
【発明の効果】
【００２３】
本発明によれば、表面にねじ山が形成された支柱と、支柱の一端が接続されるベースプレートと、を有する台座と；支柱が挿通される第１の挿通孔が形成された、配管が載置される支持バンドとを備え；第１の挿通孔が、ベースプレートから離れる方向に支持バンドが移動することを許し、ベースプレートに近づく方向に支持バンドが移動することを禁止するように、菊座状に形成されているので、単純な構造でありながら、支柱軸方向への支持バンドの位置の微調整を容易に行うことが可能となり、配管のレベル調整を容易に行うことが可能な配管支持部材となる。
【発明を実施するための最良の形態】
【００２４】
以下、図面を参照して、本発明の実施の形態について説明する。なお、各図において、互いに同一又は相当する部材には同一あるいは類似の符号を付し、重複した説明は省略する。
【００２５】
まず図１を参照して、本発明の第１の実施の形態に係る配管支持部材１を説明する。図１は、配管支持部材１の斜視図である。配管支持部材１は、スラブ等の構造物に取り付けられる台座１０と、配管が載置される支持バンド２０と、支持バンド２０に載置された配管の振れを防止する押さえバンド３０とを備えている。配管支持部材１は、典型的には金属製の部材である。
【００２６】
台座１０は、スラブ等に固定される矩形状のベースプレート１１と、支持バンド２０を支える支柱１５とを有している。ベースプレート１１の一方の表面には、支持する配管の外径よりも大きい間隔を空けて２個のナット１２が取り付けられている。ナット１２は、典型的には、支柱１５をベースプレート１１の一方の表面に対して直角に立設することができるように溶接されている。それぞれのナット１２よりも外側のベースプレート１１には、ベースプレート１１をスラブ等にアンカーで固定するためのアンカー孔１４が形成されている。固定するアンカーはボルト状のものやピン状のものを用いることができ、ベースプレート１１には使用するアンカーに適合する径のアンカー孔１４が形成されている。
【００２７】
支柱１５は、典型的には、ナット１２に適合する径の全ねじボルトが用いられるが、少なくとも、配管のレベル調整のために支持バンド２０が支柱１５に対して相対的に移動する範囲及びナット１２にねじ込まれる一端である接続端１５ａにおいて、支柱１５の表面にねじ山が形成されていればよい。支柱１５は、接続端１５ａがナット１２にねじ込まれることにより、ベースプレート１１の一方の表面に対して直角に立設される。支柱１５はベースプレート１１に、着脱可能に接続されている。２本の支柱１５がベースプレート１１の各ナット１２にそれぞれ接続されて、台座１０が構成されている。
【００２８】
また、支柱１５の接続端１５ａとは反対側の端部である自由端１５ｂには、ねじまわしとしてのスクリュードライバーを作用させるための十字の溝が形成されている。この十字の溝は、ねじまわし用の加工である。図１では、プラスのスクリュードライバーを作用させる十字の溝が示されているが、マイナスのスクリュードライバーを作用させるすりわりを形成してもよい。
あるいは図２（ａ）に示すように六角レンチを作用させることができるように加工を施してもよく、図２（ｂ）に示すように自由端１５ｂを板状の突起が残るように削り落としてプライヤー等でこの突起をつかんで支柱１５を回すことができるようにしてもよい。本明細書における「ねじまわし」には、スクリュードライバーの他、六角レンチやプライヤー等の、支柱１５を軸まわりに回すことができる工具が含まれる。
【００２９】
支持バンド２０は、矩形状の平板を基に、配管の軸直角方向への動きを抑制するＶ字状の窪み２１が中央部に形成され、窪み２１の両側に第１の挿通孔としての支持挿通孔２２が形成されている。窪み２１は、矩形状の平板を、山折り、谷折り、山折りと折り曲げて形成されている。図１に示すように、平板を折り曲げた折れ線上の一部分を逆方向に折り曲げて逆折２３を形成し、折り曲げた部分を補強してもよい。窪み２１は、支持する配管が軸直角方向に移動することを抑制する。窪み２１がＶ字状に形成されることで、複数の異なる口径の配管、特に集合住宅の各住戸やホテルの各室に設置される衛生器具廻りの横走管として多く用いられる３２Ａ〜８０Ａの硬質塩化ビニル管や、これらに対応する耐火二層管等外径の異なる配管を、１種類の支持バンド２０で支持することが可能となる。
【００３０】
支持挿通孔２２は、窪み２１よりも外側に形成されており、ベースプレート１１上に取り付けられた２個のナット１２の間隔と等しい間隔で２箇所に形成されている。支持挿通孔２２は、菊座状に形成されている。菊座状の支持挿通孔２２は、典型的には以下のように形成される。まず、所定の場所に、支柱１５の表面に形成されたねじ山の谷の径よりも小さい径の小孔を形成する。この小孔と同心円で、支柱１５のねじ山の外径（山の径）よりも大きな径を有する外円を罫書く。そして、小孔を中心として外円まで切り込みを放射状に複数入れて複数の小片を形成し、窪み２１が凸の方向に各小片を折り曲げることによって、菊座状に形成される。このような菊座状の支持挿通孔２２が形成された支持バンド２０は、窪み２１が凸の方向をベースプレート１１の方向（支柱１５の接続端１５ａの方向）に向け、支持挿通孔２２に支柱１５を挿通して台座１０にセットすることにより、ベースプレート１１から離れる方向に相対移動することができるがベースプレート１１に近づく方向に相対移動することができないように構成されている。
【００３１】
押さえバンド３０は、支持バンド２０と同様に、矩形状の平板を基に、中央部にＶ字状の窪み３１が形成され、窪み３１の両側に第２の挿通孔としての押さえ挿通孔３２が形成されている。窪み３１及び押さえ挿通孔３２は、それぞれ支持バンド２０の窪み２１及び支持挿通孔２２に相当する。押さえバンド３０は、台座１０への取付方向が、窪み３１の凸の方向をベースプレート１１と反対の方向に向けて取り付ける点で支持バンド２０と異なっているが、部材そのものの構成は支持バンド２０と同じである。したがって、押さえ挿通孔３２は、支持挿通孔と同様に菊座状に形成されている。このことにより、押さえバンド３０は、ベースプレート１１に近づく方向に相対移動することができるがベースプレート１１から離れる方向に相対移動することができないように構成されている。
【００３２】
上述の各部材１０、２０、３０を備える配管支持部材１は、典型的には、以下のようにして組み立てられる。まず、ベースプレート１１の上に支持バンド２０を、ナット１２の孔と支持挿通孔２２とが対応するように載置し、支柱１５を支持挿通孔２２を通した後にナット１２に接続する。このとき、支柱１５を支持挿通孔２２に通すことを、支柱１５を回すことなく軸方向に移動するだけで行うことができる。支柱１５をナット１２に接続するときは、支柱１５を回転させる。支柱１５を回転させるのはナット１２に接続するときだけで足りるので、省力化を図ることができる。押さえバンド３０は、支持バンド２０に載置された配管のレベル調整が完了した後に台座１０へ取り付ける。押さえバンド３０の取り付けは、押さえバンド３０をベースプレート１１の方向に押しつけることにより直線的に移動させるだけで行うことができるので、省力化を図ることができる。このような配管支持部材１は、工事現場において以下のように利用することができる。
【００３３】
工事現場においてスラブ上に排水横走管を敷設するには、まず墨出しを行い、横走管の配管ルート上に、支持バンド２０がベースプレート１１にできるだけ近づいた状態で取り付けられた台座１０を適切な間隔で配置する。次いで、配置した台座１０に取り付けられた支持バンド２０の上に配管を敷設し、配管の平面上の位置を合わせた上で台座１０をスラブに固定する。台座１０の固定と配管の敷設の順序は逆でもよい。また、この段階では押さえバンド３０は台座１０に取り付けられていない。次に配管のレベルを合わせる。配管のレベルを合わせるには、支持バンド２０をベースプレート１１から離れる方向に直線的に動かすだけで足りるので、ナット締着により高さ調整をする場合に比べてレベル調整の作業が大幅に簡略化されることとなる。
【００３４】
配管のレベルを調節する際に支持バンド２０をベースプレート１１から離しすぎた場合は、支持バンド２０をベースプレート１１に近づく方向に押して動かすことができないので、支柱１５を軸まわりに回転させることで支持バンド２０をベースプレート１１に近づける。詳細には、支柱１５の表面に右ねじが形成されている場合は、支柱１５を左回りに回転させることにより支柱１５をナット１２から外し（このときベースプレート１１と支持バンド２０との相対距離に変化はない）、ナット１２から外れた支柱１５をさらに左回りに回転させて支持バンド２０と支柱１５の固定端１５ａとの距離を、設定したいナット１２の天端と支持バンド２０との距離以下にする。そして固定端１５ａをナット１２にねじ込むことにより支持バンド２０を、ベースプレート１１から離しすぎた状態よりも近づけることができる。また、支持バンド２０をベースプレート１１に最も近い位置へ戻したい場合は、支持バンド２０を支柱１５の自由端１５ｂの方向に動かして支柱１５から外すと共に、支柱１５をベースプレート１１から外し、ベースプレート１１の上に支持バンド２０を載置し、支柱１５を支持挿通孔２２を通した後にナット１２に接続することで、支持バンド２０をベースプレート１１に最も近い位置へ戻すことができる。
【００３５】
配管のレベル合わせが完了したら、押さえバンド３０を台座１０に取り付け、窪み３１が配管に接触するまで移動する。これにより、配管の振れを防止することができる。このように、本発明に係る配管支持部材１を用いると、スラブ上へ敷設する排水横走管のレベル調整に必要な手間を、ナット締着により高さ調整をする配管支持金具を用いる場合に比べて大幅に削減することができる。なお、支柱１５として、全ねじを現場合わせで適切な長さに切断して利用することで、支柱１５の材料の無駄を削減することができる。
【００３６】
なお、配管の振れ止めとして、押さえバンド３０に代え、結束バンドや結束ワイヤー等の紐状の部材で支持バンド２０に配管をくくり付けてもよい。一般に、集合住宅の各住戸やホテルの各室に設置される衛生器具廻りの横走管には比較的軽量な硬質塩化ビニル管が用いられ、流水時の振動も比較的小さいので、堅固な押さえバンド３０（図１参照）を用いなくても配管の振れを防止することができることが多い。紐状の部材で配管の振れ止めを行う場合は、工事現場における施工において、配置した台座１０に取り付けられた支持バンド２０の上に配管を敷設し、配管の平面上の位置を合わせた上で台座１０をスラブに固定した段階で、支持バンド２０に紐状の部材で配管をくくり付けてもよい。配管のレベルを合わせる前に配管を支持バンド２０に紐状の部材でくくり付けると、配管のレベルを合わせる際に最上流（最も衛生器具に近い位置）の配管支持部材１のレベルを合わせることで、これより下流の配管支持部材１のレベル調整も完了するため、さらに手間を削減することができる。ただし、配管に硬質塩化ビニル管を用いると共に横走管が長くて配管がたわむ場合は、最上流の配管支持部材１のレベル調整だけで横走管全体のレベル調整が完了しない場合もある。この場合でも、各配管支持部材１についてわずかなレベル調整を行うだけで横走管全体のレベル調整が完了するので、手間を削減することができる。
【００３７】
次に図３を参照して、本発明の第２の実施の形態に係る配管支持部材２を説明する。図３は、配管支持部材２の斜視図である。配管支持部材２は、配管支持部材１（図１参照）と比較して、台座が異なっている。配管支持部材２の台座１０Ａは、ベースプレートが第１のベースプレート１１１と第２のベースプレート１１２とに２分割されて構成されている。第１のベースプレート１１１及び第２のベースプレート１１２には、それぞれナット１２が取り付けられると共にアンカー孔１４が形成されている。各ナット１２には、それぞれ支柱１５が立設される。配管支持部材２の支持バンド２０及び押さえバンド３０は、配管支持部材１（図１参照）の支持バンド２０及び押さえバンド３０とそれぞれ同じものである。
【００３８】
上述の各部材１０Ａ、２０、３０を備える配管支持部材２は、台座１０Ａを固定するスラブに段差がある場合でも嵩上げして取付面の高さを合わせることを要さずにスラブに取り付けることができる。ところで、配管支持部材２は、ベースプレートが第１のベースプレート１１１と第２のベースプレート１１２とに２分割されているので、第１のベースプレート１１１及び第２のベースプレート１１２をスラブに固定する際に、支持バンド２０の２個の支持挿通孔２２の間隔に、第１のベースプレート１１１のナット１２と第２のベースプレート１１２のナット１２との間隔を合わせて固定することとなる。このとき、アンカー孔１４を利用してアンカーでスラブに固定することにより、アンカー孔１４を中心としてアンカー孔１４とナット１２との距離を半径とする円周上で、スラブ平面上におけるナット１２の位置を移動することができるので、支持バンド２０の２個の支持挿通孔２２の間隔に、第１のベースプレート１１１のナット１２と第２のベースプレート１１２のナット１２との間隔を合わせることに神経を尖らせることを要しない。すなわち、アンカー孔１４は、アンカー孔１４を通したアンカーでスラブに設置された第１のベースプレート１１１（第２のベースプレート１１２）の回動の中心となる。
【００３９】
図４の平面図を参照して、上述の、スラブ平面上におけるナット１２の位置を移動することにより支持バンド２０の２個の支持挿通孔２２の間隔に第１のベースプレート１１１のナット１２と第２のベースプレート１１２のナット１２との間隔を合わせることを説明する。図４に示すとおり、第１のベースプレート１１１のナット１２と第２のベースプレート１１２のナット１２との間隔は、両アンカー孔１４を結ぶ直線上で両アンカー孔１４の内側に両ナット１２を配置したときの距離Ｌ１から、両アンカー孔１４を結ぶ直線上で両アンカー孔１４の外側に両ナット１２を配置したときの距離Ｌ３までの間で任意に（例えば距離Ｌ２に）設定することができる。このような幅をもって第１のベースプレート１１１及び第２のベースプレート１１２をスラブに固定することができるので、施工が容易になる。
【００４０】
また図５の平面図に示すように、配管支持部材２（図３参照）を用いて配管を支持すると、配管支持部材２をスラブに取り付けた後に、スラブに平行な面上で配管の軸直角方向へ配管を移動する調整を容易に行うことが可能となる。図５に示すように、第１のベースプレート１１１及び第２のベースプレート１１２を、ナット１２とアンカー孔１４を結ぶ線が配管の軸とほぼ平行になる方向に揃えてスラブに取り付ける。第１のベースプレート１１１及び第２のベースプレート１１２をこのような方向に取り付けることは、台座１０Ａに支持バンド２０を取り付けた状態でアンカーを打つのが容易になるという利点もある。ナット１２とアンカー孔１４とを結ぶ線が配管の軸とほぼ平行になる方向に第１のベースプレート１１１及び第２のベースプレート１１２をスラブに取り付けた状態から、ナット１２とアンカー孔１４を結ぶ線がアンカー孔１４を中心に角度αだけ回転するように第１のベースプレート１１１及び第２のベースプレート１１２を動かすことで、配管を軸直角方向に距離Ｄだけ動かすことができ、配管の敷設位置の微調整が可能となる。
【００４１】
次に図６を参照して、本発明の第３の実施の形態に係る配管支持部材３を説明する。図６は、配管支持部材３の斜視図である。配管支持部材３は、台座１０と、支持バンド２０Ａとを備えている。台座１０は、配管支持部材１（図１参照）の台座１０と同様の構成を有している。他方、配管支持部材３は、配管支持部材１（図１参照）と比較して、支持バンドが異なっている。配管支持部材３の支持バンド２０Ａには、末端固定部としての突起２４が設けられている。突起２４は、配管の動きを抑制するために支持バンド２０Ａに載置された配管を押さえる結束バンドや結束ワイヤー等の紐状の部材を引っ掛ける部分であり、突起２４に引っ掛けられた紐状の部材には２つの突起２４を末端として配管の動きを抑制する張力が働いている。配管支持部材３は、紐状の部材で配管の振れ止めを行うことを前提としているため典型的には押さえバンド３０（図１参照）を用いないが、押さえバンド３０（図１参照）を用いることを妨げるものではない。
【００４２】
支持バンド２０Ａの突起２４は、典型的には以下のようにして設けられる。以下の説明では、２つの支持挿通孔２２を結ぶ線の長手方向を「幅方向」と、幅方向に直交する支持バンド２０Ａの面上の方向を「軸方向」ということとする。突起２４は、典型的には、支持バンド２０（図１参照）の形状のものを、その幅方向の辺の１箇所から軸方向に１０ｍｍ程度以下の切り込みを入れ、軸方向の切り込みの奥から幅方向の外側に向かってさらに切り込みを入れ、切り込むことによって現れた切り込み片を、幅方向の切り込みの奥を通って軸方向に延びる線上で窪み２１が凸の方向に折り曲げて形成される。このようにして１つの突起２４を設けたら、この突起２４から軸方向に延びる線上にある反対側の辺にも幅方向の線を軸として対称に突起２４を形成する。軸方向に延びる線上の対向する両辺に設けられた突起２４、２４を１組として、窪み２１を挟んだ反対側の部分にも１組の突起２４、２４を形成する。このように少なくとも４つ（窪み２１を挟んで２つずつ）の突起２４を設けることで紐状の部材をたすき掛けにして配管を支持バンド２０Ａに押さえることが可能となり、配管をしっかりと固定することができる。
【００４３】
また、突起２４は、上述の４つを１グループとして複数のグループを設けてもよい。このとき、突起２４を窪み２１の部分に設けてもよい。複数のグループの突起２４を設けると、１種類の支持バンド２０Ａで複数の異なる口径の配管、特に集合住宅の各住戸やホテルの各室に設置される衛生器具廻りの横走管として多く用いられる３２Ａ〜８０Ａの配管に対して、配管を支持バンド２０Ａに固定するのに最適な突起２４を選択して使用することが可能となる。なお、突起２４は、上述のように形成したものに限らず、例えば、１つの辺の１０ｍｍ程度離れた２つの点から軸方向に等しい長さの２本の切り込みを入れて両切り込みの奥を結ぶ幅方向の線上で窪み２１が凸の方向に切り込み片を折り曲げて形成してもよく、あるいは短棒のようなものを溶接等で取り付けることにより形成してもよい。
【００４４】
上述の各部材１０、２０Ａを備える配管支持部材３は、配管の下端に手や紐状の部材を回さずに、配管を支持バンド２０Ａに紐状の部材で固定することができるので、施工時の手間を軽減することができる。この利点に加え、配管支持部材３を用いた施工では、配置した台座１０に取り付けられた支持バンド２０Ａの上に配管を敷設し、配管の平面上の位置を合わせた上で台座１０をスラブに固定した段階で、支持バンド２０Ａに紐状の部材で配管をくくり付けることにより、配管のレベルを合わせる際に最上流（最も衛生器具に近い位置）の配管支持部材３のレベルを合わせることで、最上流より下流の配管支持部材３のレベル調整を完了させることができる（段落００３６参照）。
【００４５】
以上、本発明の実施の形態に係る配管支持部材１、２、３を説明したが、上述したものは好ましい実施の形態であり、本発明の趣旨を逸脱しない範囲で種種の改変が可能である。例えば、台座１０Ａ（図３参照）と支持バンド２０Ａ（図６参照）とを備える配管支持部材を構成してもよい。また、以下に示すように各部材を改変することもできる。
【００４６】
以上では、ベースプレート１１（１１１、１１２）にアンカー孔１４が形成されており、ベースプレート１１（１１１、１１２）をアンカーでスラブ等に固定するとして説明したが、コンクリートボンド等の接着剤でベースプレート１１（１１１、１１２）をスラブ等に固定してもよい。この場合、ベースプレート１１（１１１、１１２）にアンカー孔１４を形成する必要がなくなり、製造工程を簡略化することができる。
【００４７】
以上では、ベースプレート１１、１１１、１１２にナット１２を取り付け、ナット１２に支柱１５を接続することとして説明したが、ナット１２の取り付けに代えて差込菊座穴を形成してもよい。
図７に、ナット１２の取り付けに代えて差込菊座穴１２Ｈを形成したベースプレート１１Ａ、１１１Ａ（１１２Ａ）を示す。図７（ａ）はベースプレート１１Ａの平面図、（ｂ）は（ａ）のＢ−Ｂ断面図、（ｃ）はベースプレート１１１Ａの平面図、（ｄ）は（ｃ）のＤ−Ｄ断面図である。ベースプレート１１２Ａはベースプレート１１１Ａと同様の構成で対称に配置されるにすぎないので、図７（ｃ）、（ｄ）において括弧書きで符号を付している。差込菊座穴１２Ｈは、典型的には支持挿通孔２２（図１参照）と同様の要領で形成される。差込菊座穴１２Ｈとすると、支柱１５を直線的に差し込むだけで支柱１５をベースプレート１１Ａ、１１１Ａ（１１２Ａ）に接続することができる。接続した支柱１５をベースプレート１１Ａ、１１１Ａ（１１２Ａ）から分離するときは、支柱１５を左回り（支柱１５の表面に右ねじが形成されている場合）に回転させる。ベースプレート１１Ａにおいて、ナット１２（図１、図３参照）を差込菊座穴１２Ｈに代えたこと以外にベースプレート１１（図１参照）と異なる点は、矩形の平板を折り曲げて、両アンカー孔１４間の差込菊座穴１２Ｈが形成される部分の面をスラブ（取付面）から離れるように形成したことである。折り曲げた部分には、支持バンド２０（図１参照）の逆折２３（図１参照）に相当する逆折１３を形成してもよい。ベースプレート１１Ａは、ベースプレート１１（図１参照）の代わりに用いられる。ベースプレート１１Ａを用いると、支柱１５のベースプレートへの接続が容易になる。なお、差込菊座穴１２Ｈで支柱１５を支える際に支柱１５が安定しない場合は、支柱１５の接続端１５ａをカット（例えば４５°にカット）し、支柱１５が接触する部分のスラブに窪みを形成すると、ベースプレート１１Ａに接続した支柱１５が安定することとなって好ましい。次に、ベースプレート１１１Ａ（１１２Ａ）では、差込菊座穴１２Ｈが形成される部分をスラブに接触しないようにするために、チャンネル（コ字型の鋼材）を利用してスラブから浮いた面に差込菊座穴１２Ｈを形成することとしている。ベースプレート１１１Ａ（１１２Ａ）は、ベースプレート１１１（１１２）（図３参照）の代わりに用いられる。
【００４８】
以上では、支持バンド２０、２０Ａの窪み２１がＶ字状であるとして説明したが、支持する配管の外径以上の曲率半径で湾曲した窪みとしてもよい。窪み２１は、配管外周に沿うように湾曲していてもよい。また、窪み２１に代えて、支持バンド２０、２０Ａに、載置された配管がスラブに平行な面で軸直角方向に動くのを阻害する隆起部を設けてもよい。また、支持バンド２０、２０Ａは、窪み２１や隆起部が形成されていなくても紐状の部材をたすき掛けして配管を固定することにより配管の軸直角方向への動きを抑制することが可能であるため、支持バンド２０、２０Ａに窪み２１や隆起部が形成されていなくてもよい。しかしながら、支持バンド２０、２０Ａに窪み２１や隆起部が形成されていると、紐状の部材を用いて支持バンド２０、２０Ａに載置された配管を固定する場合でも固定作業時に配管が暴れないので施工が容易になる。また、押さえバンド３０は、窪み３１に代えて隆起部が形成されていてもよく、窪み３１や隆起部が形成されていない平板状のものとしてもよい。このようにしても配管の振れを止めることができる。
【００４９】
以上では、配管支持部材３の支持バンド２０Ａの突起２４を少なくとも４つ設けるとして説明したが、窪み２１を挟んで１個ずつ（合計２個）の突起２４を設けることとしてもよい。窪み２１を挟んで１個ずつ（合計２個）の突起２４があれば、配管の下端に手や紐状の部材を回すことなく配管を支持バンド２０Ａに固定することができる。しかしながら、上述のように４個の突起２４を設けることにより紐状部材を容易にたすき掛けすることが可能となって配管をよりしっかりと固定することができる。
【００５０】
以上では、末端固定部としての突起２４を支持バンド２０Ａに形成することとして説明したが、末端固定部として、紐状の部材の直径よりも大きく紐状の部材の末端に取り付けるクリップを通過させない幅の溝を支持バンド２０Ａに形成してもよい。末端固定部としての溝を形成しても、配管の下端に手や紐状の部材を回さずに、紐状の部材を用いて支持バンド２０Ａに配管を固定することができる。なお、クリップの代わりに紐状の部材の端部を結んで溝を通過させないようにしてもよい。
【００５１】
また、配管支持部材２の支持バンド２０及び配管支持部材３の支持バンド２０Ａの支持挿通孔２２を、支柱１５の外径よりも大きく支柱１５に適合するナットの外径よりも小さい径の貫通孔に代え、ナット締着により高さ調整をするように構成してもよい。すなわち、第１の挿通孔として貫通孔を形成してもよい。この場合、配管のレベル調整の手間は支持バンド２０に支持挿通孔２２を形成した場合に比べてかかるが、スラブに段差があっても安定的に配管を支持することができる効果（配管支持部材２の場合）や、紐状の部材で配管を支持バンドに固定する手間が軽減される効果（配管支持部材３の場合）を奏する。
【図面の簡単な説明】
【００５２】
【図１】本発明の第１の実施の形態に係る配管支持部材の斜視図である。
【図２】支柱端部に施されたねじまわし用の加工の変形例を示す斜視図である。
【図３】本発明の第２の実施の形態に係る配管支持部材の斜視図である。
【図４】２分割ベースプレートの設置精度の許容範囲を説明する平面図である。
【図５】配管の平面位置の微調整が可能なことを説明する平面図である。
【図６】本発明の第３の実施の形態に係る配管支持部材の斜視図である。
【図７】変形例に係るベースプレートの平面図である。
【符号の説明】
【００５３】
１、２、３  配管支持部材
１０、１０Ａ  台座
１１  ベースプレート
１４  アンカー孔
１５  支柱
１５ａ  接続端
１５ｂ  自由端
２０、２０Ａ  支持バンド
２２  支持挿通孔（第１の挿通孔）
２４  突起
３０  押さえバンド
３２  押さえ挿通孔（第２の挿通孔）
１１１  第１のベースプレート
１１２  第２のベースプレート
【図１】
2007309499.tif 000003
【図２】
2007309499.tif 000004
【図３】
2007309499.tif 000005
【図４】
2007309499.tif 000006
【図５】
2007309499.tif 000007
【図６】
2007309499.tif 000008
【図７】
2007309499.tif 000009